(57)【特許請求の範囲】
【請求項１】
通信装置間を光伝送路で接続し、該光伝送路の途中に、該光伝送路上の光信号のレベルを変化させるか、または、該光信号に他の光信号を重畳させる手段を有する通信制御用装置を挿入し、
該通信制御用装置が、外部から、通信装置の制御要求を受けたとき、該制御要求の内容に応じて、強制的に光伝送路上の信号光のレベルを変化させるか、または他の光信号を重畳させ、
前記通信装置が、光伝送路上の信号光の光入力レベルの異常を検出するか、光信号の同期外れを検出したとき、検出されたそれぞれの異常状態に対応する制御信号として認識し、該制御信号に対応する動作を行うことを特徴とする光伝送路上の制御データ伝達方法。
【請求項２】
通信装置間を光伝送路で接続し、該光伝送路の途中に、発光素子を有する通信制御用装置を挿入し、
該通信制御用装置が、外部から、通信装置の制御要求を受けたとき、前記発光素子を用いて、光伝送路上の信号光に強制的に該発光素子の出力光を重畳させ、
前記通信装置が、光伝送路上の信号光の光入力レベルが異常に高いことを検出するか、または光信号の同期外れを検出したとき、これを制御信号として認識し、該制御信号に対応する動作を行うことを特徴とする光伝送路上の制御データ伝達方法。
【請求項３】
通信装置間を光伝送路で接続し、該光伝送路の途中に、光信号を遮断する手段を有する通信制御用装置を挿入し、
該通信制御用装置が、外部から、通信装置の制御要求を受けたとき、前記光信号を遮断する手段を用いて、光伝送路上の信号光を強制的に遮断し、
前記通信装置が、光伝送路上の信号光が遮断されたことを検出するか、または光信号の同期外れを検出したとき、これを制御信号として認識し、該制御信号に対応する動作を行うことを特徴とする光伝送路上の制御データ伝達方法。
【請求項４】
通信装置間を光伝送路で接続し、該光伝送路の途中に、光増幅器を有する通信制御用装置を挿入し、
該通信制御用装置が、外部から、通信装置の制御要求を受けたとき、前記光増幅器を用いて、光伝送路上の信号光を強制的に増大せしめ、
前記通信装置が、光伝送路上の信号光が異常に増大したことを検出するか、または光信号の同期外れを検出したとき、これを制御信号として認識し、該制御信号に対応する動作を行うことを特徴とする光伝送路上の制御データ伝達方法。
【請求項５】
通信装置間を光伝送路で接続し、該光伝送路の途中に、光減衰器を有する通信制御用装置を挿入し、
該通信制御用装置が、外部から、通信装置の制御要求を受けたとき、前記光減衰器を用いて、光伝送路上の信号光を強制的に低減せしめ、
前記通信装置が、光伝送路上の信号光の入力レベルが異常に減少したことを検出するか、または光信号の同期外れを検出したとき、これを制御信号として認識し、該制御信号に対応する動作を行うことを特徴とする光伝送路上の制御データ伝達方法。
【請求項６】
通信装置間を接続する光伝送路の途中に、挿入される通信制御用装置であって、
光伝送路上の信号光に発光素子の出力光を重畳させる手段と、光伝送路上の光信号を遮断する手段と、光伝送路上の光信号を増幅する手段と、光伝送路上の光信号を減衰させる手段の内、少なくとも１つの手段を備え、
外部からの要求信号に応じて、上記各手段の内から１つを選んで光伝送路上の信号光に強制的に変化を与える手段を有することを特徴とする通信制御用装置。
【請求項７】
他の通信装置との間を、その途中に通信制御用装置を有する光伝送路で接続される通信装置であって、
該光伝送路上の信号光のレベル変化を検出する手段と、光信号の同期外れを検出する手段の内の少なくとも一方を備え、
光伝送路上の信号光の入力レベルが変化したことを検出するか、または光信号の同期外れを検出したとき、これを制御信号として認識し、該制御信号に対応する動作を行う手段を有することを特徴とする通信装置。
【発明の詳細な説明】
【０００１】
【発明の属する技術分野】
本発明は、通信装置間を光ファイバ伝送路で接続してデータ通信を行う系において、該光ファイバ伝送路の途中に配置された通信制御用装置から通信装置に対し制御信号を送信して、該通信装置を制御する方法、及びこの方法に用いる通信制御用装置と通信装置に関するものである。
【０００２】
【従来の技術】
従来、通信装置に対する制御を行う方法として、制御用の別の線路を用いる方法と、多重分離装置を用いて行う方法の２種類の方法があった。図１１は従来の通信装置に対する制御を行う方法の第１の例を示す図である。この例は、主信号伝送用の光ファイバ線路以外の制御用線路を用いた場合の例を示す。
【０００３】
同図において、数字符号１ａ、１ｂはユーザ宅、２ａ、２ｂはユーザ装置、３ａ、３ｂは通信装置、４は光伝送路、５は通信局舎、６は通信制御用装置、７は通信局舎（監視制御センタ）、８はオペレーションシステム、２０は制御信号用伝送路を表している。
【０００４】
通信装置３ｂに対し制御要求を行う場合、まずオペレーションシステム８より、通信制御用装置６に対し、制御要求が行われる。その制御要求に従い、通信制御用装置６は制御用伝送路２０を使用し、通信装置３ｂに対し、制御信号を伝達する。
【０００５】
図１２は従来の通信装置に対する制御を行う方法の第２の例を示す図であって、（ａ）は系の構成を、（ｂ）は通信制御用装置の構成を示している。この例は、に多重分離装置を使用した場合の例を示す。同図において、数字符号１ａ〜８は図１１と同様であり、２１はＯ／Ｅ変換器、２２はフレームＤＭＵＸ，２３は制御信号付加部、２４はフレームＭＵＸ，２５はＥ／Ｏ変換器を表している。
【０００６】
通信装置３ｂに対し制御要求を行う場合、まずオペレーションシステム８より、通信制御用装置６に対し、制御要求が行われる。その制御要求に従い、通信制御用装置６は制御信号付加部２３において制御信号を付加する。そして、主信号用の光ファイバ伝送路４を使用し通信装置３ｂに対し制御信号を伝達する。
【０００７】
【発明が解決しようとする課題】
上述したような従来の通信装置に対する制御を行う方法を用いる場合、前者の制御用の別線路を用いる方法では、主信号用の光ファイバ伝送路以外に別に線路が必要になるという課題があった。また、後者の多重分離装置を用いて行う方法では、通信制御用装置において一旦フレームの終端及び再構成を行うことが可能な要素が必要になるため、実際に多重化を行う必要が無い場合でも、余分な構成要素が必要となるという課題があった。
【０００８】
本発明は、上述したような従来の課題に鑑み、主信号伝送用光ファイバ線路以外の制御用線路や、通信制御用の多重分離装置を使用せず、主信号伝送用光ファイバ伝送路を制御データ伝送用に使用して通信装置に対する制御を行う方式を提供することを目的としている。
【０００９】
【課題を解決するための手段】
本発明によれば、上述の課題は、前記特許請求の範囲に記載した手段により解決される。すなわち、請求項１の発明は、通信装置間を光伝送路で接続し、該光伝送路の途中に、該光伝送路上の光信号のレベルを変化させるか、または、該光信号に他の光信号を重畳させる手段を有する通信制御用装置を挿入し、該通信制御用装置が、外部から、通信装置の制御要求を受けたとき、該制御要求の内容に応じて、強制的に光伝送路上の信号光のレベルを変化させるか、または他の光信号を重畳させ、前記通信装置が、光伝送路上の信号光の光入力レベルの異常を検出するか、光信号の同期外れを検出したとき、検出されたそれぞれの異常状態に対応する制御信号として認識し、該制御信号に対応する動作を行う光伝送路上の制御データ伝達方法である。
【００１０】
請求項２の発明は、通信装置間を光伝送路で接続し、該光伝送路の途中に、発光素子を有する通信制御用装置を挿入し、該通信制御用装置が、外部から、通信装置の制御要求を受けたとき、前記発光素子を用いて、光伝送路上の信号光に強制的に該発光素子の出力光を重畳させ、前記通信装置が、光伝送路上の信号光の光入力レベルが異常に高いことを検出するか、または光信号の同期外れを検出したとき、これを制御信号として認識し、該制御信号に対応する動作を行う光伝送路上の制御データ伝達方法である。
【００１１】
請求項３の発明は、通信装置間を光伝送路で接続し、該光伝送路の途中に、光信号を遮断する手段を有する通信制御用装置を挿入し、該通信制御用装置が、外部から、通信装置の制御要求を受けたとき、前記光信号を遮断する手段を用いて、光伝送路上の信号光を強制的に遮断し、前記通信装置が、光伝送路上の信号光が遮断されたことを検出するか、または光信号の同期外れを検出したとき、これを制御信号として認識し、該制御信号に対応する動作を行う光伝送路上の制御データ伝達方法である。
【００１２】
請求項４の発明は、通信装置間を光伝送路で接続し、該光伝送路の途中に、光増幅器を有する通信制御用装置を挿入し、該通信制御用装置が、外部から、通信装置の制御要求を受けたとき、前記光増幅器を用いて、光伝送路上の信号光を強制的に増大せしめ、前記通信装置が、光伝送路上の信号光が異常に増大したことを検出するか、または光信号の同期外れを検出したとき、これを制御信号として認識し、該制御信号に対応する動作を行う光伝送路上の制御データ伝達方法である。
【００１３】
請求項５の発明は、通信装置間を光伝送路で接続し、該光伝送路の途中に、光減衰器を有する通信制御用装置を挿入し、該通信制御用装置が、外部から、通信装置の制御要求を受けたとき、前記光減衰器を用いて、光伝送路上の信号光を強制的に低減せしめ、前記通信装置が、光伝送路上の信号光の入力レベルが異常に減少したことを検出するか、または光信号の同期外れを検出したとき、これを制御信号として認識し、該制御信号に対応する動作を行う光伝送路上の制御データ伝達方法である。
【００１４】
請求項６の発明は、通信装置間を接続する光伝送路の途中に、挿入される通信制御用装置であって、光伝送路上の信号光に発光素子の出力光を重畳させる手段と、光伝送路上の光信号を遮断する手段と、光伝送路上の光信号を増幅する手段と、光伝送路上の光信号を減衰させる手段の内、少なくとも１つの手段を備え、外部からの要求信号に応じて、上記各手段の内から１つを選んで光伝送路上の信号光に強制的に変化を与える手段を有する通信制御用装置である。
【００１５】
請求項７の発明は、他の通信装置との間を、その途中に通信制御用装置を有する光伝送路で接続される通信装置であって、該光伝送路上の信号光のレベル変化を検出する手段と、光信号の同期外れを検出する手段の内の少なくとも一方を備え、光伝送路上の信号光の入力レベルが変化したことを検出するか、または光信号の同期外れを検出したとき、これを制御信号として認識し、該制御信号に対応する動作を行う手段を有する通信装置である。
【００１６】
本発明は、上述の構成において、主信号を伝送している光ファイバ伝送路の信号光のレベルを強制的に変化させる方法を採用することにより、通信装置に対し制御を行うことができるようにしている。信号光のレベルを変化させる方法としては、例えば、信号光のレベルを上げる方法と、信号光のレベルを下げる方法がある。更に、信号光のレベルを上げる方法としては例えば２種の方法がある。
【００１７】
１つめの方法として、光ファイバ伝送路途中に光カプラなどの光ファイバ分岐又は結合モジュールを使用し、その片端にレーザダイオード等の発光素子を設ける。この発光素子を使用し、強制的に信号光に光を重畳することにより、制御対象となっている通信装置に対し制御データを伝達する。２つめとして、光ファイバ伝送路途中に光アンプを設置する。この光アンプを使用し強制的に信号光のレベルを変化させることにより、制御対象となっている通信装置に対し制御データを伝達する。
【００１８】
信号光のレベルを下げる方法としては、例えば２種の方法がある。１つめとして光ファイバ伝送路途中に光スイッチ等光信号遮断デバイス又は切替デバイスを設ける。この光遮断デバイスを用いることで光ファイバ伝送路上を流れているデータの種類及び状態によらず、強制的に信号光を遮断することにより、制御対象となっている通信装置に対し制御データを伝達する。
【００１９】
２つめとして光アッテネータを光ファイバ伝送路途中に設置する。この光アッテネータを使用し、信号光のレベルを変化させて、制御対象となっている通信装置に対し制御データを伝達する。具体的なデータ伝達方式としては、例えば、２種類の方法がある。１つめは、ディジタルデータ伝送の場合データの取り込みミスが発生しないようにフレームを組んでいるが、信号光のレベル変化によりフレーム同期外れを発生させ、この同期外れを制御データとするものである。２つめは、信号光のレベル変化そのものを制御データとするものである。
【００２０】
【作用】
通信装置間に設置された通信用制御装置において、強制的に伝送光のレベルを変化させる手段は、データの種類及び状態によらず、通信装置の制御を可能とする。そのために、制御用の伝送路や通信制御用の多重分離装置を用いなくとも通信装置の制御が可能となる。従って、本発明の目的である、主信号伝送用光ファイバ伝送路を用い、且つ通信制御用の多重分離装置を使用しないでの通信装置の制御が可能となる。
【００２１】
【発明の実施の形態】
［実施例１］
図１は、本発明の第１の実施例を示す図であって、信号光のレベルを上げるために、発光素子（ＬＤ）を使用した場合の通信システムの構成を示している。同図において、数字符号１ａ、１ｂはユーザ宅、２ａ、２ｂはユーザ装置、３ａ、３ｂは通信装置、４は光伝送路、５は通信局舎、６は通信制御用装置、７は通信局舎（監視制御センター）、８はオペレーションシステム、１０は光カプラ、１１は発光素子（ＬＤ）、１２は制御部、１３はリセットボタンを表している。
【００２２】
図２はフレーム同期外れが発生した場合のデータの例を示す図であって、（ａ）は伝送されている主信号データの符号化例、（ｂ）は同データに強制的に光信号が重畳されたときにフレーム同期外れが発生した場合のデータの例を示している。図３は光入カレベル異常が発生した場合のデータの例を示す図であって、（ａ）は伝送されている主信号データの符号化例、（ｂ）は同データに強制的に光信号が重畳されたときに光入カレベル異常が発生した場合のデータ例である。
【００２３】
以下これらの図を参照して、本発明の第１の実施例を説明する。まず、当該通信システムの光ファイバ伝送路４の途中に設置された通信制御用装置６に対し、当該通信システムを監視及び制御しているオペレーシヨンシステム８、又は通信制御用装置付随のスイッチ１３等から制御要求を行う。この場合の制御要求は、リセット動作とする。
【００２４】
次に、光ファイバ伝送路途中に設置された通信制御用装置６は、制御要求に対応した動作を行う。具体的には、レーザダイオード等の発光素子１１を発光させ、信号光に強制的に光を重畳させる。制御対象となった通信装置において、強制重畳光を制御データとして認識する方法は２種類ある。１つめとしては、図２（ｂ）に示すようなフレーム同期外れを発生させる方法である。
【００２５】
この方法において、光ファイバ伝送路途中に設置された通信制御用装置６から強制的に重畳された光により図２（ｂ）にその例を示すように同期外れ（バイオレーシヨン）が発生する。あらかじめ、通信装置はフレーム同期外れが発生した場合の動作をプログラムしておく。この場合は、フレーム同期外れはリセット動作を行う命令としてプログラムしておくことにより、制御対象となっている通信装置は、制御指示に従いリセット動作を行う。
【００２６】
２つめとしては、図３に示す光入力レベル異常を発生させる方法である。この方法において、光ファイバ伝送路途中に設置された通信制御用装置から強制的に重畳された光により図３の（ｂ）に例を示すような光入力異常が発生する。１つめの方法と同様、あらかじめ通信装置は光入力異常が発生した場合の動作をプログラムしておく。この場合は、光入力異常はリセット動作を行う命令としてプログラムしておくことにより、制御対象となっている通信装置は、制御指示に従いリセット動作を行う。
【００２７】
［実施例２］
図４は、本発明の第２の実施例を示す図であって、信号光のレベルを下げるために光スイッチを使用した場合の通信システムの構成図である。同図において、数字符号１ａ〜８、１２、１３は図１と同様であり、１４は光スイッチ（光ＳＷ）を表している。図５は、フレーム同期外れが発生した場合のデータの例を示す図であって、（ａ）は伝送されている主信号データの符号化例、（ｂ）は同データが強制的に信号光が遮断されフレーム同期外れが発生している状態を示している。
【００２８】
まず、図４において、当該通信システムの光ファイバ伝送路４の途中に設置された通信制御用装置６に対し、当該通信システムを監視及び制御しているオペレーシヨンシステム８又は通信制御用装置付随のスイッチ１３等から制御要求を行う。この場合の制御要求はリセット動作とする。次に、光ファイバ伝送路途中に設置された通信制御用装置は、該制御要求に対応した動作を行う。
【００２９】
具体的には、光スイッチ１４を動作させ、信号光を強制的に遮断させる。制御対象となった通信装置において、光ファイバ伝送路途中に設置された通信用制御装置６からの強制的な信号光の遮断を制御信号として認識する方法は２種類ある。１つめとしては、図５に示すフレーム同期外れを検出する方法である。
【００３０】
この方法において、光ファイバ伝送路途中に設置された通信制御用装置において遮断された主信号光の断により図５の（ｂ）に示すようにフレーム同期外れ（バイオレーション）を発生させる。あらかじめ、通信装置はフレーム同期外れが発生した場合の動作をプログラムしておく。この場合は、フレーム同期外れはリセット動作を行う命令としてプログラムしておくことにより、制御対象となっている通信装置は、制御指示に従いリセット動作を行う。
【００３１】
２つめとしては、図６に示すように光入力断を制御信号として認識する方法である。この方法においては、図６（ｂ）に示すように光ファイバ伝送路途中に設置された通信制御用装置６において信号光の遮断が行われる。１つめの方法と同様、あらかじめ通信装置は光入力断が発生した場合の動作をプログラムしておく。この場合は、光入力断はリセット動作を行う命令としてプログラムしておくことにより、制御対象となっている通信装置は、制御指示に従いリセッ卜動作を行う。
【００３２】
［実施例３］
図７は、本発明の第３の実施例を説明する図であって、信号光のレベルを上げるために、光アンプを使用した場合の通信システムの構成図である。同図において、数字符号１ａ〜８、１２、１３は図１と同様であり、１５は光増幅器を表している。図８は光入力異常が発生した場合のデータ例を示す図であって、（ａ）は伝送されている主信号データの符号化例、（ｂ）は同データが通信制御用装置の光アンプにより光入力異常が発生した場合のデータの例を示している。
【００３３】
まず、当該通信システムの光ファイバ伝送路４の途中に設置された通信制御用装置６に対し、当該通信システムを監視及び制御しているオペレーシヨンシステム８又は通信制御用装置付随のスイッチ１３等から制御対象の通信装置３ｂに対する制御要求を行う。この場合の制御要求はリセット動作とする。
【００３４】
次に、通信制御用装置は、制御要求に対応した動作を行う。具体的には、光増幅器１５を駆動させ、信号光のレベルを上げる。この動作により図８の（ｂ）に示すように光入力異常が制御対象の通信装置において発生する。あらかじめ、通信装置は光入力異常が発生した場合の動作をプログラムしておく。この場合は、光入力異常はリセット動作を行う命令としてプログラムしておくことにより、制御対象となっている通信装置は、制御指示に従いリセット動作を行う。
【００３５】
［実施例４］
図９は、本発明の第４の実施例を説明する図であって、信号光のレベルを下げるために、光アッテネータを使用した場合の通信システムの構成図である。同図において、数字符号１ａ〜８、１２、１３は図１と同様であり、１６は光減衰器を表している。図１０は光入力異常が発生した場合のデータ例を示す図であって、（ａ）は伝送されている主信号データの符号化例、（ｂ）は同データが通信制御用装置の光アッテネータにより光入力異常が発生した場合を示している。
【００３６】
まず、図９において、当該通信システムの光ファイバ伝送路４の途中に設置された通信制御用装置６対し、当該通信システムを監視及び制御しているオペレーションシステム８又は通信制御用装置付属のスイッチ１３等から制御対象の通信装置３ｂに対する制御要求を行う。この場合の制御要求はリセット動作とする。
【００３７】
次に、通信制御用装置は、制御要求に対応した動作を行う。具体的には、光減衰器１６を駆動させ、信号光のレベルを下げる。この動作により図１０（ｂ）に示すように光入力異常が制御対象の通信装置において発生する。あらかじめ、通信装置は、光入力異常が発生した場合の動作をプログラムしておく。この場合は、光入力異常はリセット動作を行う命令としてプログラムしておくことにより、制御対象となっている通信装置は、制御指示に従いリセット動作を行う。
【００３８】
【発明の効果】
以上説明したように、本発明によれば、多重分離装置を使用することなく、主信号伝送用光ファイバを使用して、容易に、制御信号データを通信装置に伝達することが可能となる利点がある。
【図面の簡単な説明】
【図１】本発明の第１の実施例を示す図である。
【図２】フレーム同期外れが発生した場合のデータ例を示す図である。
【図３】光入カレベル異常が発生した場合のデータ例を示す図である。
【図４】本発明の第２の実施例を示す図である。
【図５】フレーム同期外れが発生した場合のデータ例を示す図である。
【図６】光入力断を制御信号として認識する方法を説明する図である。
【図７】本発明の第３の実施例を説明する図である。
【図８】光入力異常が発生した場合のデータ例を示す図である。
【図９】本発明の第４の実施例を説明する図である。
【図１０】光入力異常が発生した場合のデータ例を示す図である。
【図１１】従来の通信装置に対する制御を行う方法の第１の例を示す図である。
【図１２】従来の通信装置に対する制御を行う方法の第２の例を示す図である。
【符号の説明】
１ａ、１ｂ    ユーザ宅
２ａ、２ｂ    ユーザ装置
３ａ、３ｂ    通信装置
４            光伝送路
５            通信局舎
６            通信制御用装置
７            通信局舎（監視制御センタ）
８            オペレーションシステム
１０          光カプラ
１１          発光素子（ＬＤ）
１２          制御部
１３          リセットボタン
１４          光スイッチ
１５          光増幅器
１６          光減衰器
【図１】
0003577270.tif 000002
【図２】
0003577270.tif 000003
【図３】
0003577270.tif 000004
【図４】
0003577270.tif 000005
【図５】
0003577270.tif 000006
【図６】
0003577270.tif 000007
【図７】
0003577270.tif 000008
【図８】
0003577270.tif 000009
【図９】
0003577270.tif 000010
【図１０】
0003577270.tif 000011
【図１１】
0003577270.tif 000012
【図１２】
0003577270.tif 000013